(57)【要約】【課題】本来多くのキー操作が必要な制御を簡単な操作によって指示することを可能にする。【解決手段】プロジェクタ装置は、Ｉｒ受信部４８によってリモートコントローラ２９からの信号を受信する。制御部４４は、リモートコントローラ２９に設けられた所定範囲で移動可能なスライドバーの位置情報を表す位置信号がＩｒ受信部４８により受信された場合に、この位置信号に応じてＰＣ上で実行されている処理に対する制御コードを生成し、入出力Ｉ／Ｆ３１、入出力コネクタ部２１を介してＰＣに送信する。【選択図】      図２
2005242442.tif 000002
【特許請求の範囲】
【請求項１】
情報処理装置から入力される画像情報を投影する投影装置において、
遠隔操作装置からの信号を受信する受信手段と、
前記遠隔操作装置に設けられた所定範囲で移動可能な操作子の位置情報を表す信号が前記受信手段により受信された場合に、前記位置情報に応じた前記情報処理装置に対する制御情報を生成する生成手段と、
前記生成手段によって生成された制御情報を前記情報処理装置に送信する送信手段と
を具備したことを特徴とする投影装置。
【請求項２】
前記情報処理装置から入力される画像情報の全ページ数を示すページ情報を入力する入力手段を具備し、
前記生成手段は、前記位置情報が示す前記所定範囲における相対位置に応じて、画像情報のページを示す制御情報を生成することを特徴とする請求項１記載の投影装置。
【請求項３】
投影装置に対して動作を制御するための信号を出力する遠隔操作装置において、
所定範囲で移動可能な操作子と、
前記操作子の前記所定範囲における相対位置に応じた位置情報を表す信号を前記投影装置に送信する送信手段と
を具備したことを特徴とする投影装置の遠隔操作装置。
【請求項４】
前記操作子は、所定範囲の間をスライドさせることができるスライド操作子とすることを特徴とする請求項３記載の投影装置の遠隔操作装置。
【請求項５】
情報処理装置から入力される画像情報を投影する投影装置の制御方法において、
遠隔操作装置に設けられた所定範囲で移動可能な操作子の位置情報を表す信号を前記遠隔操作装置から受信し、
この受信した位置情報に応じて前記情報処理装置に対する制御情報を生成し、
この生成された制御情報を前記情報処理装置に送信することを特徴とする投影装置制御方法。
【請求項６】
情報処理装置から入力される画像情報を投影する投影装置の制御プログラムであって、
コンピュータを、
遠隔操作装置からの信号を受信する受信手段と、
前記遠隔操作装置に設けられた所定範囲で移動可能な操作子の位置情報を表す信号が前記受信手段により受信された場合に、前記位置情報に応じた前記情報処理装置に対する制御情報を生成する生成手段と、
前記生成手段によって生成された制御情報を前記情報処理装置に送信する送信手段として機能させるための投影装置制御プログラム。
【発明の詳細な説明】
【技術分野】
【０００１】
本発明は、パーソナルコンピュータ等の情報処理装置から画像情報を入力して投影する投影装置、投影装置制御方法、及び投影装置制御プログラムに関する。
【背景技術】
【０００２】
プロジェクタ装置（投影装置）は、パーソナルコンピュータ（ＰＣ）などの情報機器と接続し、ＰＣ上で動作しているアプリケーションプログラムの画像をスクリーンに投影させるといった、プレゼンテーションに用いられることが多い。従来、プレゼンテーションを行っている時に、スクリーンに投影する画像のページ送りやページ戻しをする場合には、ＰＣに対して操作する必要があった。
【０００３】
これに対し、スクリーン上に投影された画像をポインタで指すことで、ページ送りなどの各種の処理の実行を指示することが可能なシステムが考えられている（例えば、特許文献１）。
【特許文献１】特開平１０−４０００６号公報
【発明の開示】
【発明が解決しようとする課題】
【０００４】
しかしながら、特許文献１に記載された従来のシステムでは、ＰＣに対して直接的にキー操作などを行う必要がないが、例えば前進、後退、先頭…などの所定の処理が割り当てられたカラーメニューをスクリーンに投影し、このメニューをポインタを用いて指示する操作が必要となる。これは、ＰＣに対して行うキー操作を、スクリーンに投影されたメニューを用いて行っているに過ぎない。
【０００５】
例えば、アプリケーションプログラムで扱われるページ数が多く、多くのページ送りをしたい場合などでは、メニューにおいてページ送りの同じ操作をページ数分繰り返して行う必要がある。このため操作が非常に煩雑となり、またプレゼンテーション等の進行を中断させてしまうおそれがあった。
【０００６】
本発明の課題は、本来多くのキー操作が必要な制御を簡単な操作によって指示することが可能な投影装置、投影装置の遠隔操作装置、投影装置制御方法、及び投影装置制御プログラムを提供することにある。
【課題を解決するための手段】
【０００７】
請求項１記載の発明は、情報処理装置から入力される画像情報を投影する投影装置において、遠隔操作装置からの信号を受信する受信手段と、前記遠隔操作装置に設けられた所定範囲で移動可能な操作子の位置情報を表す信号が前記受信手段により受信された場合に、前記位置情報に応じた前記情報処理装置に対する制御情報を生成する生成手段と、前記生成手段によって生成された制御情報を前記情報処理装置に送信する送信手段とを具備したことを特徴とする。
【０００８】
請求項２記載の発明は、請求項１記載の発明において、前記情報処理装置から入力される画像情報の全ページ数を示すページ情報を入力する入力手段を具備し、前記生成手段は、前記位置情報が示す前記所定範囲における相対位置に応じて、画像情報のページを示す制御情報を生成することを特徴とする。
【０００９】
請求項３記載の発明は、投影装置に対して動作を制御するための信号を出力する遠隔操作装置において、所定範囲で移動可能な操作子と、前記操作子の前記所定範囲における相対位置に応じた位置情報を表す信号を前記投影装置に送信する送信手段とを具備したことを特徴とする。
【００１０】
請求項４記載の発明は、請求項１記載の発明において、前記操作子は、所定範囲の間をスライドさせることができるスライド操作子とすることを特徴とする。
【００１１】
請求項５記載の発明は、情報処理装置から入力される画像情報を投影する投影装置の制御方法において、遠隔操作装置に設けられた所定範囲で移動可能な操作子の位置情報を表す信号を前記遠隔操作装置から受信し、この受信した位置情報に応じて前記情報処理装置に対する制御情報を生成し、この生成された制御情報を前記情報処理装置に送信することを特徴とする。
【００１２】
請求項６記載の発明は、情報処理装置から入力される画像情報を投影する投影装置の制御プログラムであって、コンピュータを、遠隔操作装置からの信号を受信する受信手段と、前記遠隔操作装置に設けられた所定範囲で移動可能な操作子の位置情報を表す信号が前記受信手段により受信された場合に、前記位置情報に応じた前記情報処理装置に対する制御情報を生成する生成手段と、前記生成手段によって生成された制御情報を前記情報処理装置に送信する送信手段として機能させる。
【発明の効果】
【００１３】
請求項１記載の発明によれば、遠隔操作装置に設けられた操作子が移動されることで変化する位置情報を遠隔操作装置から受信した場合には、位置情報に応じた情報処理装置に対する制御情報を生成して、情報処理装置に送信することができるので、遠隔操作装置の操作子に対する操作によって情報処理装置の動作を制御することができる。この際、操作子の位置情報をもとにした制御情報を情報処理装置に対して送信するので、操作子の移動可能な所定範囲内における位置の指定によって、情報処理装置で実行されている処理、例えば複数ページの画像情報を切り替えて表示する処理に対して所定範囲（全ページ）における特定の位置（表示対象とするページ）を直接的に指定することができる。
【００１４】
請求項２記載の発明によれば、請求項１の発明の効果に加えて、画像情報の全ページ数を示すページ情報を入力し、このページ情報をもとにして位置情報に応じた画像情報のページを示す制御情報を生成して情報処理装置に送信するので、遠隔操作装置における操作子を用いた操作によって、投影対象とする画像情報のページを直接的に指定して、情報処理装置から該当する画像情報を出力させて投影させることができる。
【００１５】
請求項３記載の発明によれば、遠隔操作装置（リモートコントローラ）に所定範囲で移動可能な操作子を設けて、この操作子が操作されることにより変化する位置情報を表す信号を投影装置に送信することで、所定範囲における位置の指定による制御をすることができる。例えば、投影装置を介して、情報処理装置で実行されている処理に対して所定範囲における特定の位置を直接的に指定することができる。
【００１６】
請求項４記載の発明によれば、請求項３の発明の効果に加えて、所定範囲の間でスライドさせることが可能なスライド操作子を設けることで、この操作子によって範囲内で任意の位置を簡単に指定することができる。
【００１７】
請求項５記載の発明によれば、遠隔操作装置に設けられた所定範囲で移動可能な操作子の位置情報を表す信号を遠隔操作装置から受信し、この受信した位置情報に応じて前記情報処理装置に対する制御情報を生成し、この生成された制御情報を前記情報処理装置に送信するので、例えば操作子の移動可能な所定範囲内における位置の指定によって、情報処理装置で実行されている処理に対して所定範囲における特定の位置を直接的に指定することができる。
【００１８】
請求項６記載の発明によれば、遠隔操作装置に設けられた操作子が移動されることで変化する位置情報を遠隔操作装置から受信した場合には、位置情報に応じた情報処理装置に対する制御情報を生成して、情報処理装置に送信することができるので、遠隔操作装置の操作子に対する操作によって情報処理装置の動作を制御することができる。この際、操作子の位置情報をもとにした制御情報を情報処理装置に対して送信するので、例えば操作子の移動可能な所定範囲内における位置の指定によって、情報処理装置で実行されている処理に対して所定範囲における特定の位置を直接的に指定することができる。
【発明を実施するための最良の形態】
【００１９】
以下、本発明をプロジェクタ装置に適用した場合の実施の一形態について図面を参照して説明する。
【００２０】
図１は、同実施の形態に係るプロジェクタ装置１０の外観構成を示すものである。同図（Ａ）に示すように、直方体状の本体ケーシング１１の前面に、投影レンズ１２、及びＩｒ受信部１５が配設される。
【００２１】
投影レンズ１２は、後述するマイクロミラー素子等の空間的光変調素子で形成された光像を投影するためのものであり、ここでは合焦位置及び光学ズーム位置（投影画角）を任意に可変できるものとする。
【００２２】
Ｉｒ受信部１５は、後述するリモートコントローラ２９からのキー操作信号または位置信号（後述するスライドバー３０の操作位置を表す）が重畳された赤外光（Ｉｒ）を受信する。
【００２３】
また、本体ケーシング１１の上面には、共にダイヤルリングでなるズームリング１６とフォーカスリング１７、本体メインキー／インジケータ１８、スピーカ１９、及びカバー２０が配設される。
【００２４】
ズームリング１６及びフォーカスリング１７は、投影レンズ１２より投影表示する画像のズーム位置及びフォーカス位置をそれぞれ手動で操作する際に使用する。
【００２５】
本体メインキー／インジケータ１８は、電源のオン／オフと自動／手動、及び入力切換等を切換操作するためのキーとその操作状態を点灯／消灯及び点灯色により表示するＬＥＤで構成されたインジケータとでなる。
【００２６】
スピーカ１９は、入力されてくる音声信号を拡声出力する。
【００２７】
カバー２０は、ここでは図示しないサブキーを操作する際、及びメモリカードの装脱の際に開閉する。該サブキーは、後述するリモートコントローラ２９を使用せずに、本体メインキー／インジケータ１８では設定指示できない詳細な各種動作等を操作する。
【００２８】
さらに、図１（Ｂ）に示すように本体ケーシング１１の背面には、入出力コネクタ部２１、Ｉｒ受信部２２、及びＡＣアダプタ接続部２３が配設される。
【００２９】
入出力コネクタ部２１は、例えばパーソナルコンピュータ等の情報処理装置との接続のためのＵＳＢ（Universal Serial Bus）端子、映像入力用のミニＤ−ＳＵＢ端子、Ｓ端子、及びＲＣＡ端子と、音声入力用のステレオミニ端子等からなる。本実施形態では、プロジェクタ装置１０は、例えばＵＳＢケーブルによりパーソナルコンピュータと接続されて制御用の信号が送受信され、ＲＧＢケーブルを介して映像信号（画像情報）がパーソナルコンピュータから入力されるものとする。
【００３０】
Ｉｒ受信部２２は、Ｉｒ受信部１５と同様に、後述するリモートコントローラ２９からのキー操作信号が重畳された赤外光（Ｉｒ）を受信する。
【００３１】
ＡＣアダプタ接続部２３は、電源となる図示しないＡＣアダプタからのケーブルを接続する。
【００３２】
加えて、本体ケーシング１１の下面には、背面側に一対の固定脚部２４，２４が取り付けられると共に、前面側に高さ調節が可能な調整脚部２５が取り付けられる。
【００３３】
調整脚部２５は、そのねじ回転位置を手動で操作することにより、正確には投影レンズ１２の投影方向の鉛直方向成分、すなわち仰角を調整する。
【００３４】
次に、図２によりプロジェクタ装置１０の電子回路の機能構成について説明する。  
図２において、入出力コネクタ部２１より入力された各種規格の画像信号は、入出力インタフェース（Ｉ／Ｆ）３１、システムバスＳＢを介して画像変換部３２で投影表示に適した所定のフォーマットの画像信号に統一された後に、表示エンコーダ３３へ送られる。
【００３５】
表示エンコーダ３３は、送られてきた画像信号をビデオＲＡＭ３４に展開記憶させた上でこのビデオＲＡＭ３４の記憶内容からビデオ信号を発生して表示駆動部３５に出力する。
【００３６】
この表示駆動部３５は、送られてきた画像信号に対応して適宜フレームレート、例えば３０［フレーム／秒］で空間的光変調素子（ＳＯＭ）３６を表示駆動するもので、この空間的光変調素子３６に対して、例えば超高圧水銀灯等の光源ランプ３７が出射する高輝度の白色光を照射することで、その反射光で光像が形成され、投影レンズ１２を介して図示しないスクリーンに投影表示される。
【００３７】
画像圧縮／伸長部４２は、投影表示している画像データを記録する時にデータ圧縮し、得た画像データを、このプロジェクタ装置１０の記録媒体として着脱自在に装着されるメモリカード４３に順次書込む。
【００３８】
また、メモリカード４３に記録された画像データを読出して投影表示する時においては、メモリカード４３に記録されている画像データを画像圧縮／伸長部４２で記録時にデータ圧縮した手順と全く逆の手順で圧縮されている画像データを伸長し、伸長した画像データを表示エンコーダ３３へ送出して、ビデオＲＡＭ３４、表示駆動部３５を介して空間的光変調素子３６を駆動させ、光源ランプ３７の出射光を照射してその反射光により光像を形成し、投影レンズ１２を介して投影表示する。
【００３９】
なお、メモリカード４３はこのプロジェクタ装置１０に着脱可能ではなくともよいし、さらには半導体メモリではなく、ハードディスク装置などの本体に内蔵された大容量記憶媒体であってもよい。
【００４０】
各回路のすべての動作制御を司るのが制御部４４であり、この制御部４４は、ＣＰＵと、該ＣＰＵで実行される動作プログラムを固定的に記憶したＲＯＭ、及びワークメモリとして使用されるＲＡＭ等により構成される。
【００４１】
この制御部４４にはまた、システムバスＳＢを介して音声処理部４５及びズーム処理部４６が接続される。
【００４２】
音声処理部４５は、ＰＣＭ音源等の音源回路を備え、投影時には音声データをアナログ化し、スピーカ１９を駆動して拡声放音させる。
【００４３】
ズーム処理部４６は、後述するデジタルズーム処理時に画像データの画素変換を行なってズーム画像を得、得たズーム画像を表示エンコーダ３３へ送出し、ビデオＲＡＭ３４、表示駆動部３５、空間的光変調素子３６、光源ランプ３７、及び投影レンズ１２により投影表示させる。
【００４４】
なお、本体メインキー／インジケータ１８とカバー２０内に備えられる本体サブキーによりキー／インジケータ部４７を構成し、またＩｒ受信部１５とＩｒ受信部２２とでＩｒ受信部４８を構成するもので、これらのキー操作信号、赤外光受信信号（リモートコントローラ２９からのキー操作信号、位置信号）はいずれも直接制御部４４へ送出される。
【００４５】
次に、プロジェクタ装置１０に付属するリモートコントローラ２９について説明する。図３は、リモートコントローラ２９の外観を示す図であり、複数のキーとスライドバー３０（操作子）が設けられている。リモートコントローラ２９は、各キー操作に伴うキー操作信号、及びスライドバー３０に対する操作に伴う位置信号をプロジェクタ装置１０に対して送信することで、プロジェクタ装置１０のＩｒ受信部１５またはＩｒ受信部２２により受信される。
【００４６】
リモートコントローラ２９には、例えば、電源をオン／オフする「Ｐｏｗｅｒ」キー、ＲＧＢ信号入力時にその調整を行なう「Ａｕｔｏ」キー、プロジェクタ装置１０と投影対象となるスクリーンの位置関係に伴う台形歪み補正を行なう「Ｋｅｙｓｔｏｎｅ」キー、投影する画像をミニＤ−ＳＵＢ端子からの入力画像に切り換える「ＲＧＢ／Ｃｏｍｐ．」キー、同じくＳ端子からの入力画像に切り換える「Ｓ−Ｖｉｄｅｏ」キー、同じくＲＣＡ端子からの入力画像に切り換える「Ｖｉｄｅｏ」キー、デジタルズーム処理により任意の対象エリアをズームアップする「Ｄ−Ｚｏｏｍ［＋］」キー、同ズームダウンする「Ｄ−Ｚｏｏｍ［−］」キー、投影画像中のポインタ等を上下左右各方向に移動させるための「Ｕｐ」キー、「Ｄｏｗｎ」キー、「Ｌｅｆｔ」キー、「Ｒｉｇｈｔ」キー、表示されているポインタ位置での指定を行なう「Ｅｎｔｅｒ」キー、その他多数のキーが、図示するように配列して設けられる。
【００４７】
スライドバー３０は、図３では縦方向に決められた所定範囲内で、任意にスライド（摺動）操作して位置を変更することができる。
【００４８】
図４には、リモートコントローラ２９の電子回路の機能構成を示すブロック図である。図４に示すように、リモートコントローラ２９には、スライドバー３０、制御部５０、キー部５１、Ａ／Ｄ変換部５２、Ｉｒ送信部５３が設けられている。
【００４９】
スライドバー３０は、例えば可変抵抗器と接続されており、スライド操作によって位置が変更されることにより、Ａ／Ｄ変換部５２に入力される信号の電圧値を変化させる。
【００５０】
制御部５０は、ＣＰＵと、ＣＰＵで実行される動作プログラムを記憶したＲＯＭ、及びワークメモリとして使用されるＲＡＭなどにより構成される。制御部５０は、キー部５１からキー操作に伴って入力されるキー操作信号、あるいはスライドバー３０の操作に応じてＡ／Ｄ変換部５２から入力される位置信号（スライドバー３０の所定範囲における相対位置に応じた位置情報を表す信号）に応じた制御信号をＩｒ送信部５３を介して、プロジェクタ装置１０に送信する。
【００５１】
キー部５１は、図３に示す各キーに対する入力操作を制御するもので、各キー操作に応じたキー操作信号を制御部５０に通知する。
【００５２】
Ａ／Ｄ変換部５２は、スライドバー３０に対するスライド操作に応じて変化する可変抵抗器からの信号をＡ／Ｄ変換して制御部５０に出力する。
【００５３】
次に、本実施形態のプロジェクタ装置１０の動作について、図５及び図６に示すフローチャートを参照しながら説明する。図５は、リモートコントローラ２９における動作を説明するためのフローチャート、図６はプロジェクタ装置１０の動作を説明するためのフローチャートである。
【００５４】
ここでは、パーソナルコンピュータ上で動作しているアプリケーションプログラム、例えばプレゼンテーション用の処理を実行するプログラムが、複数ページの画像をページ単位で切り替えながら表示させる処理を実行する場合を対象にして説明する。この場合、パーソナルコンピュータのアプリケーションプログラムが表示対象とする画像を切り替えることで、この画像の画像信号がプロジェクタ装置１０に出力されてスクリーンに投影される。本実施形態では、リモートコントローラ２９に設けられたスライドバー３０を操作することで、プロジェクタ装置１０を通じて、パーソナルコンピュータ上のアプリケーションプログラムの動作を制御して、スクリーンに投影される画像を切り替えることができる。
【００５５】
まず、リモートコントローラ２９（制御部５０）は、スライドバー３０の操作によって変化する電圧値の最大値と最小値を設定する（ステップＡ１）。
【００５６】
制御部５０は、リモートコントローラ２９に設けられた各種キーに対するキー操作が行われた場合（ステップＡ２）、キー部５１から操作されたキーに応じた信号を入力する。制御部５０は、キー部５１から入力された信号に応じたキー操作信号を、Ｉｒ送信部５３を通じてプロジェクタ装置１０に送信する（ステップＡ３）。
【００５７】
また、制御部５０は、Ａ／Ｄ変換部５２を介して入力される信号を読み取り（ステップＡ４）、この信号が示す電圧値と先に設定されたスライドバー３０の位置の変化により取りうる電圧値の最大値と最小値とをもとに、スライドバー３０の現在の位置を算出する（ステップＡ５）。例えば、電圧の最大値と最小値の範囲において現在の電圧値が相対的にどの位置にあるかによって、スライドバー３０の移動可能な範囲における位置を算出することができる。
【００５８】
ここで、スライドバー３０の位置が先に電圧値を読み取った時から変化した場合、すなわちスライドバー３０に対して位置を変更する操作があった場合には、制御部５０は、スライドバー３０の位置を表す位置信号をＩｒ送信部５３を介してプロジェクタ装置１０に送信する（ステップＡ７）。
【００５９】
こうして、リモートコントローラ２９は、スライドバー３０に対するスライド操作により変更される位置の情報を、プロジェクタ装置１０に対して通知することができる。
【００６０】
次に、プロジェクタ装置１０の動作について説明する。  
まず、プロジェクタ装置１０は、パーソナルコンピュータ上で動作しているアプリケーションプログラムにおいて扱われるデータ、すなわちスクリーンへの投影対象となる画像の全体のページ数を読み込む（ステップＢ１）。ここでは、プロジェクタ装置１０に設けられたキー／インジケータ部４７に対する操作によってユーザが入力しても良いし、リモートコントローラ２９へのキー操作によりユーザがページ数を入力し、リモートコントローラ２９を通じて受信するようにしても良い。さらに、パーソナルコンピュータ上で実行されているアプリケーションプログラムに付随するプログラムが、アプリケーションプログラムから現在処理対象としているデータファイルの情報を取得し、このプログラムによってＵＳＢケーブルを介して受信するようにしてもよい。この場合、パーソナルコンピュータには、このプログラムを予めインストールしておき、プロジェクタ装置１０と通信可能にしておく必要がある。
【００６１】
制御部４４は、Ｉｒ受信部４８によってリモートコントローラ２９からの信号が受信されたかを監視している（ステップＢ２）。リモートコントローラ２９からの受信があった場合（ステップＢ２、Ｙｅｓ）、制御部４４は、受信した信号がキー入力操作によって送信されたキー操作信号であるか判定する（ステップＢ３）。
【００６２】
ここで、リモートコントローラ２９から受信したキー操作信号がページ送りを表す場合（ステップＢ４、Ｙｅｓ）、制御部４４は、入出力インタフェース３１、入出力コネクタ部２１、ＵＳＢケーブルを介して、パーソナルコンピュータに対してページ送りの実行を指示する制御コード（制御情報）を出力する（ステップＢ５）。なお、制御部４４は、キー操作信号に応じて、パーソナルコンピュータ上のアプリケーションプログラムが扱う制御コード、すなわちパーソナルコンピュータにおいてキーボードのキー操作によって入力される制御コードに変換して出力する。これにより、パーソナルコンピュータ上のアプリケーションプログラムを、プロジェクタ装置１０からの制御コードにより制御することができる。
【００６３】
また、リモートコントローラ２９から受信したキー操作信号がページ戻しを表す場合（ステップＢ６、Ｙｅｓ）、制御部４４は、同様にして、パーソナルコンピュータに対してページ戻しの実行を指示する制御コードを出力する（ステップＢ７）。
【００６４】
その他のキー操作信号が受信された場合には、制御部４４は、そのキー操作信号に応じたその他の処理を実行する（ステップＢ８）。
【００６５】
一方、制御部４４は、リモートコントローラ２９からスライドバー３０に対する操作によって送信された位置信号であると判別した場合（ステップＢ９、Ｙｅｓ）、位置信号が示すスライドバー３０の位置に応じたページを、先に読み込んだ全体のページ数をもとに算出する（ステップＢ１０）。
【００６６】
制御部４４は、スライドバー３０の位置に応じて算出されたページをもとに、ページ切り替えの実行を指示する（ステップＢ１１）。なお、制御部４４は、ページ切り替えの実行指示を、パーソナルコンピュータ上のアプリケーションプログラムが扱う制御コードに変換して送信する。例えば、アプリケーションプログラムがページ指定によるページジャンプを指示する制御コードにより制御可能であれば、この該当する制御コード（指定ページ、ページジャンプ）に変換して出力し、また単にページ送りまたはページ戻しの制御コードにより制御可能であれば、ページ切り替えに必要なページ数分、ページ送りまたはページ戻しの制御コードを連続して出力するものとする。
【００６７】
図７には、アプリケーションプログラムが扱うファイルの全体のページ数とスライドバー３０の位置との対応関係を示す図である。  
例えば、図７（ａ）に示すように、全ページ数が５ページだった場合には、各ページがスライドバー３０の可動範囲の５分の１の範囲のそれぞれに対応する。これにより、スライドバー３０を所望するページに相当する位置に移動させることによって、この位置に対応するページに切り換えるように指示することができる。
【００６８】
また、アプリケーションプログラムが扱うデータの全ページ数が２０ページであった場合には、同様にして各ページがスライドバー３０の可動範囲の２０分の１の範囲にそれぞれ対応する。このようにページ数が多い場合であっても、感覚的にスライドバー３０を該当ページ付近の範囲（位置）に直接的に移動させるだけで、ページを簡単に切り換えることができる。従って、現在、表示対象となっているページから所望するページまでのページ数分、ページ戻し、あるいはページ送りを指示する必要はない。
【００６９】
なお、全ページ数が非常に多い場合には、スライドバー３０によって該当ページの位置を確実に指定することが困難になってくる。こうした場合には、まずスライドバー３０の操作によって所望するページ付近にページを切り換えた後、ページ送り、またはページ戻しのキー操作によって所望するページに切り換えばよい。これにより、全ページ数が非常に多い場合であっても、ページ送り、またはページ戻しのキー操作によってページ切り替えをする場合と比較して、ページ数が多い分、より簡単にページ切り替えをすることができる。
【００７０】
パーソナルコンピュータのアプリケーションプログラムは、プロジェクタ装置１０を介して受信した制御コードに応じてページ切り替えを制御する。これにより、リモートコントローラ２９の操作により指示されたページに表示対象とする画像が切り替えられ、その画像の表示データがＲＧＢケーブルを通じてプロジェクタ装置１０に送信され、スクリーンに投影される。
【００７１】
このようにして、リモートコントローラ２９にスライドバー３０を設け、プロジェクタ装置１０は、スライドバー３０に対する操作によって変更されるスライドバー３０の位置に応じた制御コード（制御情報）をパーソナルコンピュータに対して送信することができる。これにより、スライドバー３０の移動可能な所定範囲内における位置の指定によって、パーソナルコンピュータ上で実行されている処理、例えば複数ページの画像を切り替えて表示する処理に対して所定範囲（全ページ）における特定の位置（表示対象とするページ）を直接的に指定して表示の切り替えを制御することができる。
【００７２】
なお、前述した説明では、リモートコントローラ２９にはスライドバー３０が設けられるとしているが、例えば回転（ダイアル）式などの別の形態を有する操作子を設けた構成とすることも可能である。回転式の操作子の場合には、例えば回転範囲が決められており、その回転範囲における相対的な回転位置に応じた位置信号をプロジェクタ装置１０に対して送信するものとする。
【００７３】
また、前述した構成では、リモートコントローラ２９の構成において、スライドバー３０に対する入力操作を、可変抵抗器とＡ／Ｄ変換部５２を用いた構成により検出しているが、リニアエンコーダなど他の構成を用いても良い。
【００７４】
また、前述した説明では、複数ページの画像をページ単位で切り替えながら表示させる処理を実行するアプリケーションプログラムを、プロジェクタ装置１０を介してスライドバー３０の操作によって制御する場合について説明しているが、その他のパーソナルコンピュータ上で実行される各種処理を対象として制御することもできる。例えば、表示画像のスクロール、カーソル移動、マウスポインタの移動など、変更の幅を全体の範囲における相対的な位置によって指定できる各種処理を対象とすることができる。
【００７５】
また、他の複数のキー操作とスライドバー３０に対する操作とを組み合わせて、複数の機能についてスライドバー３０の操作によって制御するようにしても良い。
【００７６】
なお、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７７】
【図１】本発明の実施の形態に係るプロジェクタ装置１０の外観構成を示す図。
【図２】本実施形態におけるプロジェクタ装置１０の電子回路の機能構成を示すブロック図。
【図３】本実施形態におけるリモートコントローラ２９の外観を示す図。
【図４】本実施形態におけるリモートコントローラ２９の電子回路の機能構成を示すブロック図。
【図５】本実施形態におけるリモートコントローラ２９の電子回路の機能構成を示す図。
【図６】本実施形態におけるプロジェクタ装置１０の動作を説明するためのフローチャート。
【図７】アプリケーションプログラムが扱うファイルの全体のページ数とスライドバー３０の位置との対応関係を説明するための図。
【符号の説明】
【００７８】
１０…プロジェクタ装置、１１…本体ケーシング、１２…投影レンズ、１３…撮像レンズ、１４…マイクロホン、１５…Ｉｒ受信部、１６…ズームリング、１７…フォーカスリング、１８…本体メインキー／インジケータ、１９…スピーカ、２０…カバー、２１…入出力コネクタ部、２２…Ｉｒ受信部、２３…ＡＣアダプタ部、２４…固定脚部、２５…調整脚部、２９…リモートコントローラ、３０…スライドバー、３１…入出力インタフェース（Ｉ／Ｆ）、３２…画像変換部、３３…表示エンコーダ、３４…ビデオＲＡＭ、３５…表示駆動部、３６…空間的光変調素子（ＳＯＭ）、３７…光源ランプ、３８…レンズモータ（Ｍ）、４２…画像圧縮／伸長部、４３…メモリカード、４５…音声処理部、４６…ズーム処理部、４７…キー／インジケータ部、４８…Ｉｒ受信部、５０…制御部、５２…Ａ／Ｄ変換部、５３…Ｉｒ送信部。
【図１】
2005242442.tif 000003
【図２】
2005242442.tif 000004
【図３】
2005242442.tif 000005
【図４】
2005242442.tif 000006
【図５】
2005242442.tif 000007
【図６】
2005242442.tif 000008
【図７】
2005242442.tif 000009